(57)【特許請求の範囲】
【請求項１】
メス型のコネクタ部品と、ケーブル端のオス型のコネクタ部品（２、３１）とを有するマルチプル同軸コネクタ（１、３０）であって、
前記ケーブル端のオス型のコネクタ部品（２、３１）が、複数のコネクタバンク（２）を備えたモジュラ構造を有し、前記各コネクタバンク（２）が、基体（８）を備えたハウジング（６）を有し、前記基体（８）が、１つの側面または対向する２つの側面から接近可能である複数のカットアウト部（９）を有し、該カットアウト部が、前記少なくとも１つのコネクタバンク（２）の中に複数のコネクタ（４、５）を個々に横方向に受け入れて保持するよう機能し、
前記複数のコネクタバンク（２）が、相互に横方向に隣り合って、互いに対して作動的に接続されており、かつ、相互に対して移動できるように配置されている、マルチプル同軸コネクタ（１、３０）。
【請求項２】
前記複数のケーブル端のコネクタバンク（２）が、複数の弾性接続要素（３２）によって、浮動状態で作動的に相互に接続されていることを特徴とする、請求項１に記載のマルチプル同軸コネクタ（１）。
【請求項３】
前記複数の弾性接続要素（３２）が横方向に並んで配置されていることを特徴とする、請求項２に記載のマルチプル同軸コネクタ（１）。
【請求項４】
１つの前記コネクタバンク（２）が、１列または２列のコネクタ（４、５）を有することを特徴とする、請求項１〜３のいずれか一項に記載のマルチプル同軸コネクタ（１）。
【請求項５】
前記メス型のコネクタ部品（３、３３）が、平行に延びる複数のコネクタ（５）をそれぞれ受容するよう機能する開口部（１１）を備える単一部品型のハウジング（７）を有することを特徴とする、請求項１〜４のいずれか一項に記載のマルチプル同軸コネクタ（１）。
【請求項６】
前記コネクタ（５）が背面から押し込まれることを特徴とする、請求項５に記載のマルチプル同軸コネクタ（１）。
【請求項７】
前記単一部品型のハウジング（７）が複数列の開口部（１１）を有することを特徴とする、請求項５または６に記載のマルチプル同軸コネクタ（１）。
【請求項８】
前記コネクタ（４、５）のそれぞれが、少なくとも１つのハウジング（６、７）内で横方向に浮動状態で実装されていることを特徴とする、請求項１〜７のいずれか一項に記載のマルチプル同軸コネクタ（１）。
【請求項９】
前記コネクタバンク（２、３）が、プラグ接続処理の間に前記ハウジング（６、７）が相互に対して心立てされる心立て手段（２７、２８）を有することを特徴とする、請求項１〜８のいずれか一項に記載のマルチプル同軸コネクタ（１）。
【請求項１０】
前記コネクタバンク（２、３）のそれぞれが、心立て手段（２７、２８）により、相互に個別におよび大部分が独立して中心化されていることを特徴とする、請求項９に記載のマルチプル同軸コネクタ（１）。
【請求項１１】
前記心立て手段（２７、２８）が、前記コネクタバンク（２、３）のハウジング（６）の前側に配置されていることを特徴とする、請求項１０に記載のマルチプル同軸コネクタ（１）。
【発明の詳細な説明】
【技術分野】
【０００１】
本発明は、独立請求項の前提部分によるマルチプル同軸コネクタの分野に関する。
【背景技術】
【０００２】
従来技術は、複数のコネクタを１つの同軸ケーブルガイドに同時に接続するのに適しているマルチプル同軸コネクタを開示している。例えば、出願人は、製品番号Ｍｃ１６の、１６ピン型マルチプル同軸コネクタを開示している。このコネクタは、個々のコネクタの間に約４ｍｍの間隔を有し、最大約４０ＧＨｚまでの周波数に適している。比較的大きいプラグ力を有する品番ＭＭＰＸの単一コネクタも同様に知られており、これは最高６５ＧＨｚまでの周波数に適している。高周波で信号を送信するために提供される様々な製品が、次のように、その他のメーカーからも知られている。
【０００３】
Ｇｏｒｅ  ＵＨＤ（同軸コネクタ、６〜９ＧＨｚ、１９ｄＢ、１平方インチ当たり７８チャネル未満、型抜き後湾曲インターフェース、プラスチック射出成形ハウジング）
【０００４】
Ｔｙｃｏ  Ｎａｎｏｎｉｃｓマルチプル同軸コネクタ（２０ＧＨｚ、中心間ピッチ２．５４ｍｍ、金属ハウジング、同様にＤ−ｓｕｂ、最大１×９）
【０００５】
Ｔｅｎｓｏｌｉｔｅ  ＨＤＲＦｉマルチプル同軸コネクタ（４０ＧＨｚ、中心間ピッチ３．３ｍｍ、金属ハウジング、同様にＤ−ｓｕｂまたは円形、平面接点、１１−Ｄ−ｓｕｂで１平方インチ当たりおよそ４０チャネル）
【０００６】
Ｓｙｎｅｒｇｅｔｉｘ「ｓｐｒｉｎｇ  ｃｏｎｔａｃｔ  ｆｉｅｌｄｓ」（２０ＧＨｚまで、高周波接点向けに最良の配置での中心間ピッチおよそ１．９５ｍｍ、オープンフィールド、自由に構成可能、一平方インチ当たりおよそ１７０チャネル）
【０００７】
Ｈｉｒｏｓｅ  ２ｍｍ同軸バックプレーンコネクタ（３ＧＨｚ、中心間ピッチ７．５ｍｍ、２ｍｍバックプレーングリッドに適合）
【０００８】
Ｍｏｌｅｘ／Ｔｅｒａｄｙｎｅ、ＥＲＮＩ、ＦＣＩ製バックプレーンコネクタ（１０〜２０Ｇｂｐｓ、少ないプラグ周期、１平方インチ当たり密度３００チャネルまで）
【０００９】
ＦＣＩは、品名Ａｉｒｍａｘ  ＶＳ高速コネクタシステムを備えたコネクタシステムを開示している。このコネクタは個別の層で構成されており、遮蔽体を有していない。そのため、これらは限られた範囲のみの高周波の送信に適している。
【００１０】
Ｔｙｃｏ  Ｅｌｅｃｔｒｏｎｉｃｓの名義で出願された欧州特許第１０２１８５２号は、無線周波数電磁波を送信するための同軸ＲＦコネクタに関する。このコネクタは、少なくとも１つの内部接点と、内部接点の周囲に同軸に配置された外部接点とを備えるハウジングを有している。欧州特許第１０２１８５２号は、十分な外部導体表面厚を伴って、単純かつコスト効率良く製造することが可能な、ＲＦ同軸プラグコネクタを開発するという目的に基づいている。さらに、開発されるべきＲＦ同軸プラグコネクタはまた、対になる同軸プラグの外部導体との確実な接続、すなわち外部導体機能を、保証すべきである。この目的は、ハウジングがプラスチック射出成形部品で形成されていること、およびハウジングが、プラスチック製で内部接点の周囲に同軸に配置された壁部であって、少なくとも内部接点に面する内壁に十分な厚さの金属化層が設けられている壁部を有するという点において、達成されるように意図されている。
【００１１】
Ｅｌｅｋｔｒｏｎｉｋ  ［Ｅｌｅｃｔｒｏｎｉｃｓ］  ７．／８．４．８２，１４６ページにはすでに、多極プラグコネクタ内にプラスチックハウジングを設けること、およびこのハウジングに遮蔽目的のための表面金属化を設けることが開示されている。しかし、これらの多極プラグコネクタは、内部接点／同軸外部接点を含む接点対が必ず存在する同軸プラグコネクタではない。これらの周知のプラグコネクタは、表面金属化が設けられた共通ハウジング境界によって囲まれている複数の接触ピンを有する。したがって、ハウジングの中空円筒形内壁の金属化によって外部導体機能を実現することは、ここでは何の役割も果たさない。
【００１２】
Ｓｉｅｍｅｎｓ  ＡＧの名義で出願された欧州特許第０５８２９６０号は、たとえばプリント回路基板などの基板上の特定のピッチ間隔で配置された複数の同軸プラグと、基板上に配置された対応する相手の同軸プラグコネクタとを備えるＲＦ同軸プラグ接続に関する。欧州特許第０５８２９６０は、簡素化された接続技術を使用して、例えば５ｍｍの狭ピッチ間隔に適したＲＦ同軸プラグ接続、すなわち機械的および電気的に適合したＲＦ同軸プラグ接続を提供するという目的に基づいている。欧州特許第０５８２９６０号の開示によれば、この目的は、以下の特徴を有するＲＦ同軸プラグ接続によって達成される。ａ）同軸プラグが押し込み接点を備える基板上に固定され、ｂ）対になるプラグコネクタが、同軸プラグの数に対応する数の一体鋳造に統合され、ｃ）一体鋳造が、導体材料からなり、一体鋳造に統合された対になる全ての同軸プラグコネクタのための外部導体を形成し、ｄ）対になる同軸プラグコネクタの内部導体およびそれらの基板との接続が、いずれの場合にも絶縁された状態で一体鋳造の穴に収容され、ｅ）対になる同軸プラグコネクタの内部導体の接続および一体鋳造の外部導体接続が、押し込み接点の形態である。
【００１３】
ＡＴ＆Ｔによる米国特許第４５７１０１４号は、１９８６年に出願され、比較的複雑な構造の、多数の接点およびモジュラを備えるプラグコネクタを開示している。このコネクタは、多数の異なる部品から組み立てられ、プリント回路基板と共に使用するのに適合するように意図されている。このコネクタは、同軸構造を有していない。
【００１４】
従来技術において知られるプラグコネクタは、多数のコネクタポイントが狭い空間で同時に接続される必要があり、高周波が発信される必要がある、たとえばテストチップまたはマイクロプロセッサ向けの試験配置で使用されるような、１平方インチ当たり１００チャネルの領域の高実装密度のアレイでの使用には適していない。この理由の１つは、その設計構造のため、対応する実装密度が可能ではないことである。同様に、全てのコネクタが確実に機能的ないしは作動的に（ｏｐｅｒａｔｉｖｅｌｙ）相互接続されることを保証することも可能ではない。
【００１５】
米国特許第５１９０４７２号は、１９９２年にＷ．Ｌ．  Ｇｏｒｅ  ＆  Ａｓｓｏｃｉａｔｅｓ，  Ｉｎｃ．によって出願され、高チャネル密度を目指したマルチプル同軸コネクタを開示している。各同軸コネクタは、片側からのいわゆるグループ化モジュールの、両側で相互に対向して配置されている、櫛状の、半円形のカットアウト部（切り抜き部）に、半分挿入される。カットアウト部はそれぞれコネクタの半分のみを包囲するので、コネクタはそれぞれのカットアウト部の中に保持されず、落ちてしまう。個々のコネクタは横方向に相互に積層されている複数のグループ化モジュールによってのみ固定され、ひいては保持される。積層がなければ、グループ化モジュールはそれ自体が機能しない。個々のコネクタに適合した、積層されたグループ化モジュールは、後から外枠の中にしっかりと押し込まれ、このように結合して機能的マルチプル同軸コネクタを形成する。マルチプル同軸コネクタの記載された原理は、比較的多数のコネクタとのマルチプルコネクタを理論的に可能にするが、重大な不都合がある。第一に、組み立てが非常に難しい。第二に、個別の非常に繊細なコネクタが非常に堅く保持されており、これは、発生する公差鎖のため、多数のチャネルを備えるコネクタを実装する際に、悪影響がある。さらなる不都合は、多数の極小の異なる部品であって、これらは製造するには複雑で、そのため対応するマルチプル同軸コネクタを非常に高価にする。
【発明の概要】
【発明が解決しようとする課題】
【００１６】
本発明の目的の一つは、１平方インチ当たり１００以上のチャネルの領域の高実装密度のアレイでの使用に適しており、従来技術に関連する不都合を呈しない、マルチプル同軸コネクタを提供することにある。
【００１７】
この目的は、独立特許請求項によるマルチプル同軸コネクタによって達成される。
【００１８】
実装密度（単位面積当たりのチャネル数）が上昇するにつれて、個々の同軸コネクタおよびそれらを収容するハウジング部品は、ますます小型化される。その結果、製造公差がますます影響するようになり、そのため多数のチャネルを備えるコネクタは、製造するのが難しくなる。これに起因して、高プラグ力、機械的変形、または故障が発生する可能性がある。小型部品の物流の困難さから、さらなる問題が発生する。
【課題を解決するための手段】
【００１９】
本発明は、本発明による構成および構成方法のため、通常は生じる公差の連鎖を切断することによって、これらの状況を可能にする。これは、本発明によるマルチプル同軸コネクタが、個々のコネクタバンク自体が一般的に機能部を表す複数のコネクタバンクを備えるモジュラ構造を有するという意味において、達成される。コネクタバンクは一般的に、１つまたは２つの列に配置された、複数の個々の同軸コネクタを有する。この目的を達成するために、個々の同軸コネクタは、基体のカットアウト部に固定され、必要であれば、公差を補うために、少なくともコネクタ側に浮動軸受（フローティング式軸受）を有する。実施形態に応じて、個々のコネクタバンクは、より大きいユニットを形成するために、少なくともケーブル末端で、固定的に、または定められた程度まで移動するように、相互に作動的に接続される。必要であれば、個々のコネクタバンクは、それによって個々のコネクタバンクが互いに無関係に配向および調整される、心立て手段を有する。代わりに、または追加的に、適用分野に応じて、心立て補助具の役割を果たすこともできる。
【００２０】
本発明によるプラグコネクタは、相互に作動的に接続され、好ましくは同軸構造を有する、１列または２列（たとえば１×８または２×８）の個々の（メス型またはオス型）コネクタをそれぞれ有する、１つ以上のメス型および１つ以上のオス型のコネクタバンクを有する。（具体的にはケーブル末端にある）コネクタバンクのハウジングおよびコネクタバンク内の個々のコネクタの配置は、高実装密度を可能にする。３列以上のコネクタを備えるコネクタバンクは、本発明による方法では側面から実装することができないが、製造が非常に困難である可能性がある。必要であれば、より大きいユニットを形成するために、浮動的なまたは固定的な方法で、個々のコネクタバンクが作動的に接続されてもよい。浮動的な接続は、弾性要素または外部ハウジングによって生み出すことができる。固定的な接続は、個々のコネクタバンクを外部ハウジングに収容すること、またはネジ留め、接着結合、溶接、および／またはスナップ留め接続によって、達成することができる。浮動軸受にとって良好な結果は、個々のコネクタバンクを相互に作動的に接続する、横方向に配置された弾性接続要素によって達成される。
【００２１】
一実施形態において、１つのコネクタ側面の個々のコネクタは、対応する数の同軸ケーブルに直接接続され、その後基体の１つまたは２つの（反対の）側面に配置された、ハウジングのカットアウトに圧入または挿入されることが可能である。必要であれば、カットアウト部は、被覆手段によって閉鎖することができる。
【００２２】
反対側では、対応する数のコネクタが、単一部品型または複数部品型のハウジング内に配置されて、対応する数の同軸ケーブルに固定されたプリント回路基板などと相互作用することが、可能である。反対側で、ハウジングは、たとえば金属、または導体層で被覆されたプラスチックなどの、導体材料から製造され、遮蔽の機能を引き受けることが可能である。ハウジングは、プリント回路基板への実装を目的とすることができる。
【００２３】
本発明によるマルチプル同軸コネクタは、必要であれば、たとえばケーブル末端（ケーブルが接続されているところ）で、少なくとも１つのハウジング側面上の、モジュラ構造を有することができ、モジュラ構造は、たとえば１×８、２×８、またはｎ×８（ｎは任意の数）、またはｎ×２×８など、様々な方法で拡張可能な構成が可能である。適用分野によっては、８以外の列当たりのコネクタ数が可能であることは、当業者には自明である。１つの利点は、とりわけアクセスしやすさの向上のため、プラグコネクタをより簡単な方法で製造することができることで、異なる実施形態は、個々の部品から大部分を組み立てることができる。個々のハウジング部品は、必要であれば、ハウジング部品の側面またはその間に配置された、たとえばゴムまたは類似の材料を備える、たとえば弾性接続要素によって、浮動状態で相互接続されることが可能である。その結果、対になる要素との接続の際に、一定の公差が相殺され、公差の連鎖が中断される。
【００２４】
この目的のため、コネクタの両側の個々のコネクタは、実施形態に応じて固定的または浮動的に、このコネクタを保持するのに役立つ１つ以上のハウジング内に押し込まれる。ハウジングは、好ましくは射出成形プラスチックを備える。ケーブルへの作動的な接続は、圧入または半田付けによって確立される。
【００２５】
必要であれば、個々のコネクタは、それによって対になる片とのプラグ力が決定され、
いかなる偏移も所定量までは相殺されるバネ要素を有する。実施形態に応じて、バネ要素
は、たとえばベローズの形態を取るか、または負荷レベルが所定値を越えないような方法
で、必要であれば、縦方向に、または縦方向に対して一定の角度で挿入される、バレル状
の設計を有する。
【００２６】
コネクタは通常、ＳＭＤ実装可能な垂直ＰＣＢコネクタの場合、２５ＧＨｚ以上の帯域幅に適している。この特殊な構造は第一に、１インチ当たり１００チャネル以上の密度を可能にする。２つの個々独立のコネクタの間の間隔（中心間ピッチ）は通常、多くても２ｍｍである。さらなる利点は、この技術が連続生産に適しており、コスト効率の良い方法でコネクタを生産することができるということである。この目的は、プリント回路基板（ＰＣＢ）のケーブルコネクタとの同軸インターフェースの基本要素にまで削減することによって達成される。
【００２７】
本発明による概念は、とりわけ、微細寸法を可能にする。コスト効率の良い製造のため、金属部品は好ましくは、型抜き後に湾曲する手法または深絞り手法による生産に適合するように、設計される。ハウジングは好ましくは、射出成形プラスチックから生産可能に設計される。
【００２８】
配向の原理は、心立て要素によって相互に個別におよび大部分が独立して中心化されている個々のコネクタバンクに基づいている。したがって、配向の原理は、心立てピン、および内部導体に関連する外部導体によって、さらに精密化される。１６個を超えるコネクタにおいて公差の連鎖が形成されないように、ｎ×１６構成は、緩く結合した１×１６個のコネクタによって実現される。
【００２９】
高チャネル密度を備える本発明によるコネクタ向けの適用分野の１つは、シリアル高速データ送信部品の生産または開発における、試験および測定である。この場合、多数のシリアル高速チャネル（現在は１秒当たりおよそ６から１５ギガビット、Ｇｂｐｓ）が、同時に送信される。より高い品質のために、各チャネルは好ましくは、各方向向けに特異的に動作される。「全二重」接続は、４つの物理的接続を必要とする。
【００３０】
測定技術において、信号は、可能な限り干渉されずに送信されるべきであり、したがって、接続は同軸的に経路を決められることが好ましい。信号は、集積シリコン回路で生成される。したがって、より高い信号品質のため、ＰＣＢへの配線長は、可能な限り短くすべきである。信号パッドとチップハウジングとの間の間隔が数十ミリメートルなので、同軸コネクタがチップハウジングにより密集して実装されるほど、配線長は短くなり、したがって接続全体が、より小さく密集することになる。たとえば、中心間距離がおよそ２ｍｍの、上述の実施形態の「１×８」または「２×８」変形例は、この目的に特に適している。要求に応じて、２つまたは４つの全二重チャネルが作動可能である。
【００３１】
さらなる適用分野は、いわゆる「テストヘッド」が必要となる、「自動化試験装置」の市場にある。この場合、テストヘッドのいわゆる「実装基板」から測定ステーションまで、多くのシリアル接続が設けられる。典型的な例は、プロセッサ、グラフィックチップ、または、多数のシリアルチャネルを含み、通常は現時点で最大６Ｇｂｐｓまでのデータ速度を達成する類似の部品などの、既存のデジタルＩＣである。将来的には、最大１５Ｇｂｐｓのデータ速度が期待される。チャネル数は、チップ当たり１００以上に到達することができる。この目的のため、対応する数のチャネルを備えた高品質多チャネルコネクタが必要とされる。１インチ当たり１００チャネルというのは、実装基板上の限られた条件、および可能な限り短い方が好ましいＰＣＢ接続のため、有利である。これは、本発明によるコネクタを用いたコスト効率の良い方法で、達成される。
【００３２】
その他の潜在的な用途は、一般的な測定技術、主に高速データ送信またはデジタル信号処理（たとえばモバイル無線基地局）において、見いだすことができる。しかし、達成されやすい新規コネクタの柔軟性および小型化のため、新基準につながるファミリーも開発することができる。本発明によるコネクタの改良により、多数のチャネルによる高品質データ送信が可能である。
【００３３】
一実施形態において、マルチプル同軸コネクタは、メス型のコネクタ部品、および少なくとも１つのケーブル端のオス型のコネクタ部品を備える。ケーブル端のコネクタ部品は、基体を有するハウジングを備えた少なくとも１つのコネクタバンクを有する。基体は、櫛状に配置され、１つ以上の対向する側から接近可能で、個々のコネクタを横方向に受容するのに役立つカットアウト部を有する。ケーブル端のコネクタ部品は、互いに横方向に隣り合って、互いに作動的に接続される、複数のコネクタバンクを有することができる。ケーブル端のコネクタバンクは、たとえば弾性接続要素によって、作動的に浮動状態で相互接続されることが可能である。実施形態に応じて、ケーブル端コネクタバンクは、固定状態で作動的に相互接続されることも可能である。メス型のコネクタ部品は、たとえば、回路基板上に固定的に取り付けられているが、平行に走る開口部を備える一体型ハウジングを有し、個々のコネクタを受容するよう機能することができる。コネクタは、前側または後側から、メス型のコネクタ部品に押し込まれるかまたは嵌め込まれることが可能である。必要であれば、単一部品型のハウジングは、複数の開口部列を有することができる。経常的なずれを相殺するために、個々のコネクタを、少なくとも１つのハウジング内に、横方向に浮動状態となるように、実装することができる。コネクタバンクは、必要であれば、プラグ接続処理の間にハウジングが相互に対して心立てされる心立て手段を有することができる。
【００３４】
本発明は、以下の図面に示される実施形態に基づいて、より詳細に説明される。
【図面の簡単な説明】
【００３５】
【図１】前側、下方から斜めに見た、マルチプル同軸コネクタの第１の実施形態の斜視図を示す。
【図２】前側、上方から斜めに見た、図１によるマルチプルコネクタを示す。
【図３】開いて部分的に切断した状態の、図１によるマルチプルコネクタを示す。
【図４】コネクタの側面図を示す。
【図５】線ＡＡに沿った、図４によるコネクタの断面図を示す。
【図６】前側、上方から斜めに見た、マルチプル同軸コネクタアレイ（ｕ＝６）の一実施形態の斜視図を示す。
【図７】前側、上方から斜めに見た、マルチプル同軸コネクタの第２の実施形態の斜視図を示す。
【図８】前側、上方から斜めに見た、図７によるマルチプルコネクタからの２つのコネクタの、部分切断斜視図を示す。
【発明を実施するための形態】
【００３６】
図中、対応する部品には、同じ参照符号を使用している。
【００３７】
図１は、前側、下方から斜めに見た、マルチプル同軸コネクタ（マルチプルコネクタともいう）１の第１の実施形態の斜視図を示す。図２は、前側、上方から斜めに見た、同じマルチプルコネクタ１を示し、図３は、上方から斜めに見たマルチプルコネクタの、分解した部分断面図を示す。
【００３８】
マルチプル同軸コネクタ１は、オス型コネクタバンク（ｃｏｎｎｅｃｔｏｒ  ｂａｎｋ）２およびメス型コネクタバンク３を備え、これらのコネクタバンクは、プラグ接続処理によって、作動的に相互接続することができる。２つの部品２、３は、共通の上部の第１、および第２の下部、単一部品型または複数部品型の外部ハウジング６、７に配置された、複数のオス型およびメス型の、ここでは同軸の、コネクタ４、５を有する。オス型同軸コネクタ４およびメス同軸コネクタ５は、図４および５に拡大された縮尺で示されている。同図において、オス型およびメス型のコネクタ４、５、および、それぞれ、コネクタバンク２、３は、個別の詳細がより判りやすいように、互いに離れた（作動的に接続されていない）状態で、示されている。案内ピン２７は、オス型コネクタバンク２のハウジング６上に配置され、この案内ピンは心立て開口部２８に係合しており、これは、オス型コネクタバンクがメス型コネクタバンク３に作動的に接続され、互いに対してコネクタバンク２、３個々のハウジングを位置合わせする際に、第２のハウジング７に設けられる。図示される本実施形態のコネクタバンク２、３は、いずれの場合も、１６より多いコネクタ上に公差の連鎖（ｔｏｌｅｒａｎｃｅ  ｃｈａｉｎ）が形成されないように、相互に結合された１６のコネクタを有する。同軸コネクタ４、５が接続処理の間に相互に位置合わせされるために、代替または追加として、これらはハウジング６、７のうちの１つの少なくとも片側において、横方向に浮動状態となるように、実装されることが可能である。
【００３９】
図３に示されるように、マルチプル同軸コネクタ１のオス型コネクタバンク２の外部ハウジング６は、分数部品型構造である。これは、櫛状に配置されてオス型コネクタ４を受容するのに適しているカットアウト部９を備えた基体８を有している。カットアウト部９は、基体８の対向する２つの側面に配置され、互いに対して平行な向きを有している。これらは２列に配置され、基本外形を基準にして、相互に対して横方向に、ここでは６０°の角度でずれている（その他の配置形態も可能である）。基体８は、両側から接近可能に設計されているそのカットアウト部９のため、高実装密度でコネクタ４、５に容易に取り付けることができる。カットアウト部９は、コネクタ４がカットアウト部内に横方向に嵌め込まれるように設計することができる。
【００４０】
カバー１０は、基体８の両方の側面上に配置されており、このカバーは、外側から基体８を閉鎖して、カットアウト部９に挿入されたコネクタ４、５が落下するのを防止する。図示される実施形態において、カットアウト部９は、両側がＣ字型に形成されているので、実装状態でコネクタ４を完全に包囲する。
【００４１】
適用分野に応じて、カバー１０は基体８に、接着結合、ネジ留め、溶接、あるいは取り外し可能または永久的にスナップ留め手段によって接続されることが可能である。コネクタ４は、少なくとも横方向に一定の公差を有するような方法で、固定的に、または決められた程度まで移動するように、カットアウト部９の中に配置されることが可能である。適用分野に応じて、コネクタ４が側面からカットアウト部内に嵌め込まれることが可能で、カバーが必要ないように、カットアウト部９をＵ字型に形成することも可能である。
【００４２】
第１のハウジング６とは対照的に、図示される実施形態の第２のハウジング７は、単一部品型構造であって、回路基板上に実装されるようになっている（これ以上の詳細は図示せず）。第２のハウジング７は、平行に走る複数の開口部１１を有し、コネクタ５を受容するのに適している。メス型コネクタ５は、この目的のために開口部１１に押し込まれる。図示される実施形態において、この場合は導体として設計されている第２のハウジング７によって、遮蔽体が形成される。必要であれば、第２のハウジング７は、３列以上のコネクタ５を有することができる。
【００４３】
ハウジング６、７は、好ましくはプラスチックまたは金属で製造され、必要であれば、少なくとも部分的に、導体材料が被覆されている。図示される実施形態のハウジング６、７は、射出成形プラスチックまたはその他の材料によって製造されるのに適しているように設計されている。複数部品型構造のため、離型できない逃げ溝は回避される。
【００４４】
コネクタバンク２、３は、コネクタのそれぞれが相互に非常に近接して配置することができるため、コネクタ個々のコンパクトな配置、ひいては単位面積当たりの高密度チャネルを可能にする２列構造を有する。３列以上のコネクタは、特にケーブル端では、実装することが実質的に非常に難しい。単位面積当たりのチャネル密度が非常に高い場合の最適な利用は少なくとも、片側から接近可能な１列コネクタバンク、あるいは片側または両側から接近可能な２列コネクタバンクを備えるケーブル端において達成される。コネクタが片側でプリント回路基板などに実装されるように意図されている場合、この側面に３列以上を設けることができる。必要であれば、基体８は、隣接して配置された基体用のカバーの役割を果たすように設計することができる。
【００４５】
図３〜５に見られるように、オス型コネクタ４は、それぞれ同軸ケーブル１２に直接取り付けられている。コネクタ４、５の構造の様態は、達成可能な実装密度に関連する。このため、高集積および特に小型構造が、コネクタ４、５において保証されてきた。
【００４６】
オス型コネクタ４は、その先端で、バレル状に延在し、この場合は縦方向に走る複数のスロットが設けられているスリーブ状の導電性外側部１３を有するので、より良好なバネ動作が達成される。後端では、スリーブ状外側部１３は、その内側に、外装止めまたは同軸ケーブル１２の遮蔽体１６の役割を果たすショルダ１５を有する。外面上では、外側部１３は、ハウジング６が実装状態（図１〜３参照）にあるときに対応して形成された溝１８と係合する第１の肉厚部１７を有する。肉厚部１７および溝１８は、コネクタが実装状態において偶発的に軸方向に移動するのを防止するように設計されている。型抜き式の湾曲部品の場合、肉厚部１７は、一定の壁厚における局所的な拡大によって達成される。
【００４７】
スリーブ状外側部１３は、同軸ケーブル１２の外装１６に固定されている。適用分野に応じて、様々なタイプの固定手段が使用される。押し込み、接着結合、または半田付けによって、良好な結果が得られる。第１の内側部２０は、これも同様にスリーブ状であるが、同軸ケーブル１２の内部導体１９上に差し込まれており、この第１の内側部は、バネ力が所定値を越えないように、先端で円錐状に拡大し、スロット２１が設けられている。接触を改善するために、スリーブ状内側部２０は、内側に向かって突出している第２の肉厚部２２を有する。スリーブ状外側部１３と内部導体１９との間の間隔は、同軸ケーブル１２用の絶縁手段２３によって作られる。また、たとえばプラスチックまたはその他の非導電性材料からなる、さらなるスペーサ手段が、必要に応じて外側部１３と第１の内側部２０との間のオス型コネクタ４の中に設けられてもよい。
【００４８】
図示される実施形態において、メス型コネクタ５は、絶縁スペーサスリーブ２４およびピン状の第２の内側部２５を備える。第２の内側部２５は、スペーサスリーブ２４に押し込まれ、偶発的な動作を防止する固定要素２６を有する。後端は、厚みのある設計で、実装状態でハウジング７を越えて突出し（図３参照）、プリント回路との接点の役割を果たす（これ以上の詳細は図示せず）。
【００４９】
図３からわかるように、メス型コネクタ５は、実装状態で第２のハウジング７の開口部１１に後ろから押し込まれ、実装状態でこの第２のハウジングの内部に配置される。図示される実施形態において、メス型コネクタは遮蔽体を有していない。これは、全体が導体材料でできている、または少なくとも開口部１１の内面の領域が導体材料で被覆されている第２のハウジング７によって提供される。作動的に接続された状態で、オス型コネクタ５の導電性の外側部１３は、開口部１１の内面との導電接続を形成する（外部導体）。同時に、スリーブ状の第１の内側部２０およびピン状の第２の内側部２６も同様に、この状態で作動的に接続され、高周波信号を送信するための作動的な接続を形成する（内部導体）。
【００５０】
図６は、マルチプル同軸コネクタアレイ３０の実施形態の斜視図を示す。コネクタ３０は、単位面積当たりのチャネル数が多いモジュラ構造を有している。図示される実施形態において、オス型コネクタ部品３１は、横方向に配置された弾性マウント３２によって、平行に隣り合って、相互に浮動状態で作動的に接続されているコネクタバンク２をそれぞれ備える。適用分野に応じて、コネクタバンク２は、必要であれば固定的に相互接続されることも可能である。同軸コネクタ４，５も同様に、必要であれば、ある程度まで横方向に浮動になるように、ハウジング６、７内に実装されることが可能である。
【００５１】
図示される実施形態において、メス型コネクタ部品３３のハウジングは、図１〜３に記載されるように、複数のコネクタバンク３を含む。コネクタバンク３は、プリント回路上で相互に隣り合って実装される。
【００５２】
図７は、上方から斜めに見た、マルチプル同軸コネクタ１の第２の実施形態の斜視図を示す。この構造は実質的に、図１〜３によるコネクタ１の構造に対応する。したがって、全体的な動作の説明については、これらの図面を参照されたい。さらなる理解のため、第１のハウジング６は分解した状態で示され、第２のハウジング７は部分的に断面で示される。
【００５３】
図１〜３によるコネクタとは対照的に、ここで示されるコネクタは、１列設計である。オス型コネクタバンク２のハウジング６は２部品型構造であって、ケーブル１２、およびこのケーブルと作動的に接続されるオス同軸コネクタ４を受容するために、相互に隣り合って配置された複数のカットアウト部９を有する基体８を備える。コネクタ４は、実装状態で、肉厚部のために設けられた溝１８の中に配置されて縦方向の移動を防止する肉厚部１７を有する。同様に対応する数のカットアウト部９が設けられているカバー１０は、ハウジング６を閉鎖するのに役立つ（線ｓで模式的に示される）。カットアウト部９の後部において、基体８およびカバー１０は、張力緩和の目的で、閉鎖状態においてこの領域で制御された方法でケーブル１２が固定されるような寸法の、狭窄部２９を有する。メス型コネクタバンク３も同様に、１列設計である。メス型コネクタ５も同様に、図示される実施形態において後から第２のハウジング７の中に押し込まれる。
【００５４】
図８は、いずれも上下に重ねられた、オス型コネクタ４およびメス型コネクタ５の斜視図を示す。コネクタ４、５の前部において、前方９０°の領域が切り取られ、コネクタ４、５の内部がより明確に見えるようになっている。コネクタ４、５は、図７によるマルチプル同軸コネクタ１の第３の実施形態のコネクタ４、５に対応するが、原則的に、先行する図面の１つに示される実施形態において使用することもできる。
【００５５】
オス型コネクタ４は、内部において、スリーブ状外側部１３と、同軸ケーブル１２の内部導体１９に接続される第１の内側部２０との間に配置され、このスリーブ状外側部と第１の内側部とを相互に離間させる第１のスペーサスリーブ３４を有する。スペーサスリーブ３４は、通常は絶縁材料から作られ、部品を保持するのに役立つ。
【００５６】
この場合（図４および図５による実施形態とは対照的に）、メス型コネクタ５は、第２のスペーサスリーブ３６によって第２の内側部２５から離間されるように配置された外部導体３５を有する。プラグ接続状態において、外部導体３５は、対になる部品４のスリーブ状外側部１３と相互作用し、その一方で第１の内側部２０は、プラグ接続状態で第２の内側部２５に導電的に接続される。
【００５７】
個々の部品間の接続を確実に確立するため、ならびに縦方向および横方向の特定の寸法のずれを相殺させるために、外部導体および内部導体の両方が、ベローズ３７、３８を有する。互いに横方向に相互作用する、図４および図５によるコネクタ４、５とは対照的に、ここで示されるコネクタ４、５は、端面接点によって相互作用する。
【符号の説明】
【００５８】
１  マルチプルコネクタ
２  オス型コネクタバンク
３  メス型コネクタバンク
４  オス型コネクタ
５  メス型コネクタ
６  第１のハウジング
７  第２のハウジング
８  基体
９  カットアウト部
１０  カバー
１１  開口部
１２  同軸ケーブル
１３  スリーブ状外側部
１４  スロット
１５  ショルダ
１６  外装／遮蔽体
１７  第１の肉厚部
１８  溝
１９  内部導体
２０  第１の内側部
２１  スロット
２２  第２の肉厚部
２３  絶縁手段
２４  スペーサスリーブ
２５  第２の内側部
２６  固定要素
２７  案内ピン
２８  心立て開口部
２９  狭窄部
３０  ケーブル端コネクタ部品
３１  オス型コネクタ部品
３２  弾性マウント
３３  メス型コネクタ部品
３４  第１のスペーサスリーブ
３５  外部導体
３６  第２のスペーサスリーブ
３７  第１のベローズ
３８  第２のベローズ
【図１】
0005459724.tif 000002
【図２】
0005459724.tif 000003
【図３】
0005459724.tif 000004
【図４】
0005459724.tif 000005
【図５】
0005459724.tif 000006
【図６】
0005459724.tif 000007
【図７】
0005459724.tif 000008
【図８】
0005459724.tif 000009